(57)【要約】【課題】本発明は、印刷物に適用される偽造防止印刷物に関するものである。【解決手段】基材にｎ（ｎは３以上の整数）個の領域から成る特定画像を形成し、前記ｎ個の領域は、第１の領域、第２の領域、第３の領域、・・・、第ｎ−１の領域及び第ｎの領域に区分けされ、前記第１の領域の少なくとも一部が隣接又は近接するように前記第２の領域が形成され、前記第２の領域の少なくとも一部が隣接又は近接するように前記第３の領域が形成され、・・・、前記ｎ−１の領域の少なくとも一部が隣接又は近接するように前記ｎ個の領域が形成され、前記ｎ個の領域は光沢インキから成る盛り上がりのある万線画線で構成され、前記万線画線の配列方向は前記第１の領域、前記第２の領域、前記第３の領域、・・・、前記ｎ−１の領域及び前記第ｎの領域ごとに異なる方向に配列されたことを特徴とする。【選択図】図１
2005041084.tif 000002
【特許請求の範囲】
【請求項１】
基材に第１の領域、第２の領域及び第３の領域からなる特定画像を形成し、
前記第１の領域の少なくとも一部が隣接又は近接するように前記第２の領域が形成され、
前記第２の領域の少なくとも一部が隣接又は近接するように前記第３の領域が形成され、
前記第１の領域、前記第２の領域及び前記第３の領域は光沢インキからなる盛り上がりのある万線画線で構成され、
前記万線画線の配列方向は前記第１の領域、前記第２の領域及び前記第３の領域ごとに異なる方向に配列されたことを特徴とする偽造防止印刷物。
【請求項２】
前記隣接又は近接する状態が、前記第１の領域の周囲を囲むように前記第２の領域が形成され、前記第２の領域の周囲を囲むように前記第３の領域が形成されたことを特徴とする請求項１記載の偽造防止印刷物。
【請求項３】
前記万線画線の配列方向は、前記第１の領域の万線画線の配列方向の角度をα１、前記第２の領域の万線画線の配列方向の角度をα２、前記第３の領域の万線画線の配列方向の角度をα３とした場合に、α１＜α２＜α３又はα１＞α２＞α３＞の条件を満たすことを特徴とする請求項１又は２記載の偽造防止印刷物。
【請求項４】
基材にｎ（ｎは３以上の整数）個の領域からなる特定画像を形成し、
前記ｎ個の領域は、第１の領域、第２の領域、第３の領域、・・・第ｎ−１の領域及び第ｎの領域に区分けされ、
前記第１の領域の少なくとも一部が隣接又は近接するように前記第２の領域が形成され、
前記第２の領域の少なくとも一部が隣接又は近接するように前記第３の領域が形成され、・・・前記第ｎ−１の領域の少なくとも一部が隣接又は近接するように前記第ｎの領域が形成され、
前記ｎ個の領域は光沢インキからなる盛り上がりのある万線画線で構成され、
前記万線画線の配列方向は前記第１の領域、前記第２の領域、前記第３の領域、・・・前記第ｎ−１の領域及び前記第ｎの領域ごとに異なる方向に配列されたことを特徴とする偽造防止印刷物。
【請求項５】
前記隣接又は近接する状態が、前記第１の領域の周囲を囲むように前記第２の領域が形成され、前記第２の領域の周囲を囲むように前記第３の領域が形成され、・・・前記第ｎ−１の領域の周囲を囲むように前記第ｎの領域が形成されたことを特徴とする請求項４記載の偽造防止印刷物。
【請求項６】
前記万線画線の配列方向は、前記第１の領域の万線画線の配列方向の角度をα１、前記第２の領域の万線画線の配列方向の角度をα２、前記第３の領域の万線画線の配列方向の角度をα３、・・・前記第ｎ−１の領域の万線画線の配列方向の角度をαｎ−１、前記第ｎの領域の万線画線の配列方向の角度をαｎとした場合に、α１＜α２＜α３＜・・・＜αｎ−１＜αｎ又はα１＞α２＞α３＞・・・＞αｎ−１＞αｎの条件を満たすことを特徴とする請求項４又は５記載の偽造防止印刷物。
【請求項７】
前記領域において、前記各領域の外郭形状が、円形、楕円、多角形又はロゴマークであることを特徴とする請求項４、５又は６記載の偽造防止印刷物。
【請求項８】
前記万線画線のピッチ幅が、６０μｍから２０００μｍの範囲で、万線画線の画線幅が、３０μｍから１０００μｍの範囲であることを特徴とする請求項１、２、３、４、５、６又は７記載の偽造防止印刷物。
【請求項９】
前記盛り上がりのある万線画線の高さが、５μｍから１５０μｍの範囲であることを特徴とする請求項１、２、３、４、５、６、７又は８記載の偽造防止印刷物。
【請求項１０】
前記光沢インキが、光学的変化顔料を含有したことを特徴とする請求項１、２、３、４、５、６、７、８又は９記載の偽造防止印刷物。
【請求項１１】
前記光学的変化顔料が平面配向性を向上させるために撥水、撥油性を持たせる表面処理を施していることを特徴とする請求項１０記載の偽造防止印刷物。
【請求項１２】
前記特定画像が、光吸収層を設けた領域上に重ねて印刷されたことを特徴とする請求項１、２、３、４、５、６、７、８、９、１０又は１１記載の偽造防止印刷物。
【発明の詳細な説明】
【０００１】
【発明の属する技術分野】
本発明は、銀行券、株券、パスポート、有価証券、通行券、カード、商品タグ等の偽造、変造を防止する必要性のある印刷物に適用される偽造防止印刷物に関するものである。
【０００２】
【従来の技術】
従来、銀行券、株券、パスポート、有価証券、通行券、カード、商品タグ等の偽造、変造を防止する必要性のある印刷物において、印刷物に対して垂直方向から傾けて観察することにより潜像画像の出現又は色彩の変化をさせて真偽判別を行う技術は公知であり、凹版印刷物の画線構成を利用して潜像画像を出現させるもの、光学的変化インキを利用して色彩を変化させるもの等が挙げられる。また、基材に対して垂直方向から徐々に水平方向に観察すると画像が連続的に変化する代表的な技術としてホログラムが挙げられる。
【０００３】
前記凹版印刷物の画線構成を利用し、潜像画像を出現させるもの、例えば、凹版印刷された万線に潜像画像となる画線部を高い画線で構成し、その他の凹版印刷画線の画線部を潜像画像となる画線部より低い画線で構成している。このことにより、印刷物の角度を変えて観察すると潜像画像が発現するものが開示されている。更に、画線の幅が均一で向きが異なることにより潜像画像を発現させるものがある（例えば、特許文献１参照）。
【０００４】
【特許文献１】
特公昭５６−１９２７３号公報（第１頁、第１−１５図）
【０００５】
特定パターンをパール光沢インキを用いて印刷した多色印刷物であって、見る角度によって色が変わる干渉光を示す特定パターンを示し、更に、カラーコピー機による複写により前記パール光沢インキの色が目視でも識別可能な異なる色に再現されることを特徴とする印刷物が開示されている（例えば、特許文献２参照）。
【０００６】
【特許文献２】
特開平９−２４０１３３号公報（第１−３頁、第１図）
【０００７】
しかしながら、特公昭５６−１９２７３号公報は凹版画線で構成した潜像を有する画像の下地に印刷絵柄を設けて印刷物を作成した場合に、前記印刷物を斜めから観察した場合に、潜像画像が確認しにくくなる問題があった。また、偽造防止技術としては乏しく改良の余地があった。また、特開平９−２４０１３３号公報のように特定パターンをパール光沢インキで印刷しただけでは、偽造防止技術としては乏しく容易に複製される恐れがあり改良の余地があった。また、ある特定画像の色彩又は明暗が徐々に変化することがなかった。また、基材に対して垂直方向から徐々に水平方向に観察すると画像が連続的に変化する代表的な技術としてホログラムが挙げられるが、ホログラムは高価であり、少量生産には不向きであった。
【０００８】
【発明が解決しようとする課題】
本発明は、このような従来の問題を解決することを目的としたもので、本発明は、特定画像を分割して各分割された領域を盛り上がりのある万線画線で構成し、更に各分割された領域を形成する万線画線の配列方向を徐々に異ならせ、光沢インキを用いて印刷することによって、基材に対して垂直方向から徐々に水平方向に観察すると特定画像の色彩又は明暗が連続的に変化する偽造防止印刷物を見出した。
【０００９】
本発明は、基材にｎ（ｎは３以上の整数）個の領域からなる特定画像を形成し、ｎ個の領域は、第１の領域、第２の領域、第３の領域、・・・第ｎ−１の領域及び第ｎの領域に区分けされ、第１の領域の少なくとも一部が隣接又は近接するように第２の領域が形成され、第２の領域の少なくとも一部が隣接又は近接するように第３の領域が形成され、第ｎ−１の領域の少なくとも一部が隣接又は近接するように第ｎの領域が形成され、ｎ個の領域は光沢インキからなる盛り上がりのある万線画線で構成され、万線画線の配列方向は第１の領域、第２の領域、第３の領域、・・・第ｎ−１の領域及び第ｎの領域ごとに異なる方向に配列することによって、印刷物に対して垂直方向から徐々に水平方向に観察すると、第１の領域から第ｎの領域又は第ｎの領域から第１の領域に向かうに従い色彩又は明暗が徐々に変化するため、特定画像に躍動感を有して視認できる。よって、本発明は真偽判別、複写防止に優れる偽造防止印刷物を提案することを目的とする。
【００１０】
【課題を解決するための手段】
本発明は、基材に第１の領域、第２の領域及び第３の領域からなる特定画像を形成し、前記第１の領域の少なくとも一部が隣接又は近接するように前記第２の領域が形成され、前記第２の領域の少なくとも一部が隣接又は近接するように前記第３の領域が形成され、前記第１の領域、前記第２の領域及び前記第３の領域は光沢インキからなる盛り上がりのある万線画線で構成され、前記万線画線の配列方向は前記第１の領域、前記第２の領域及び前記第３の領域ごとに異なる方向に配列されたことを特徴とする偽造防止印刷物であって、前記偽造防止印刷物に対して垂直方向から徐々に水平方向に観察すると、第１の領域から第３の領域又は第３の領域から第１の領域に向かうに従い色彩又は明暗が徐々に変化するため、特定画像に躍動感を有して視認できる。
【００１１】
また、本発明は、前記隣接又は近接する状態が、前記第１の領域の周囲を囲むように前記第２の領域が形成され、前記第２の領域の周囲を囲むように前記第３の領域が形成されたことを特徴とする偽造防止印刷物である。
【００１２】
また、本発明は、前記万線画線の配列方向は、前記第１の領域の万線画線の配列方向の角度をα１、前記第２の領域の万線画線の配列方向の角度をα２、前記第３の領域の万線画線の配列方向の角度をα３とした場合に、α１＜α２＜α３又はα１＞α２＞α３＞の条件を満たすことを特徴とする請求項１又は２記載の偽造防止印刷物である。
【００１３】
また、本発明は、基材に第１の領域、第２の領域及び第３の領域からなる特定画像を形成し、前記第１の領域の少なくとも一部が隣接又は近接するように前記第２の領域が形成され、前記第２の領域の少なくとも一部が隣接又は近接するように前記第３の領域が形成され、前記第１の領域、前記第２の領域及び前記第３の領域は光沢インキからなる盛り上がりのある万線画線で構成され、前記万線画線の配列方向は前記第１の領域、前記第２の領域及び前記第３の領域ごとに異なる方向に配列されたことを特徴とする偽造防止印刷物であって、前記偽造防止印刷物に対して垂直方向から徐々に水平方向に観察すると、第１の領域から第３の領域又は第３の領域から第１の領域に向かうに従い色彩又は明暗が徐々に変化するため、特定画像に躍動感を有して視認できる。
【００１４】
本発明は、基材にｎ（ｎは３以上の整数）個の領域からなる特定画像を形成し、前記ｎ個の領域は、第１の領域、第２の領域、第３の領域、・・・第ｎ−１の領域及び第ｎの領域に区分けされ、前記第１の領域の少なくとも一部が隣接又は近接するように前記第２の領域が形成され、前記第２の領域の少なくとも一部が隣接又は近接するように前記第３の領域が形成され、前記第ｎ−１の領域の少なくとも一部が隣接又は近接するように前記第ｎの領域が形成され、前記ｎ個の領域は光沢インキからなる盛り上がりのある万線画線で構成され、前記万線画線の配列方向は前記第１の領域、前記第２の領域、前記第３の領域、・・・前記第ｎ−１の領域及び前記第ｎの領域ごとに異なる方向に配列されたことを特徴とする偽造防止印刷物であって、前記偽造防止印刷物に対して垂直方向から徐々に水平方向に観察すると、第１の領域から第ｎの領域又は第ｎの領域から第１の領域に向かうに従い色彩又は明暗が徐々に変化するため、特定画像に躍動感を有して視認できる。
【００１５】
また、本発明は、前記隣接又は近接する状態が、前記第１の領域の周囲を囲むように前記第２の領域が形成され、前記第２の領域の周囲を囲むように前記第３の領域が形成され、・・・前記第ｎ−１の領域の周囲を囲むように前記第ｎの領域が形成されたことを特徴とする偽造防止印刷物である。
【００１６】
また、本発明は、前記万線画線の配列方向は、前記第１の領域の万線画線の配列方向の角度をα１、前記第２の領域の万線画線の配列方向の角度をα２、前記第３の領域の万線画線の配列方向の角度をα３、・・・前記第ｎ−１の領域の万線画線の配列方向の角度をαｎ−１、前記第ｎの領域の万線画線の配列方向の角度をαｎとした場合に、α１＜α２＜α３＜・・・＜αｎ−１＜αｎ又はα１＞α２＞α３＞・・・＞αｎ−１＞αｎの条件を満たすことを特徴とする請求項１又は２記載の偽造防止印刷物である。
【００１７】
また、本発明は、前記各領域の外郭形状が、円形、楕円、多角形又はロゴマークであることを特徴とする偽造防止印刷物である。
【００１８】
また、本発明は、前記領域において、前記各領域の外郭形状が、前記第１の領域から前記第ｎの領域に向かうに従い外郭形状が徐々に変化することを特徴とする偽造防止印刷物である。
【００１９】
また、本発明は、前記万線画線のピッチ幅が、６０μｍから２０００μｍの範囲で、万線画線の画線幅が、３０μｍから１０００μｍの範囲であることを特徴とする偽造防止印刷物である。
【００２０】
また、本発明は、前記盛り上がりのある万線画線の高さが、５μｍから１５０μｍの範囲であることを特徴とする偽造防止印刷物である。
【００２１】
また、本発明は、前記光沢インキが、光学的変化顔料を含有したことを特徴とする偽造防止印刷物である。
【００２２】
また、本発明は、前記光学的変化顔料が平面配向性を向上させるために撥水、撥油性を持たせる表面処理を施していることを特徴とする偽造防止印刷物である。
【００２３】
また、本発明は、前記特定画像が、光吸収層を設けた領域上に重ねて印刷されたことを特徴とする偽造防止印刷物である。また、光反射性の低い領域が赤外線吸収材料又は磁性材料を含有したインキで印刷することを特徴とする偽造防止印刷物である。
【００２４】
また、本発明は、前記光学的変化顔料が、パール顔料、金属粉顔料、ガラスフレーク又はコレステリック液晶顔料であることを特徴とする偽造防止印刷物である。
【００２５】
また、本発明は、前記光沢インキが、ＵＶ硬化型インキ又は電子線硬化型インキであることを特徴とする偽造防止印刷物である。
【００２６】
【発明の実施の形態】
次に図面を参照して本発明に係る偽造防止印刷物の実施形態について説明する。本実施の形態に限定されるものではなく、本発明の係る特許請求の範囲に記載した技術事項の範囲内であれば、各種の態様を採用することができる。
【００２７】
基材１上に第１の領域２、第２の領域３、及び第３の領域４からなる特定画像Ｃを図１に示す。特定画像Ｃは光沢インキで印刷している。第１の領域２、第２の領域３、及び第３の領域４のそれぞれの領域内は、万線画線で形成され、第１の領域２を形成する万線画線２ａの配列方向、第２の領域３を形成する万線画線３ａの配列方向、第３の領域４を形成する万線画線４ａの配列方向は、徐々に異ならせる必要がある。例えば、第１の領域２を形成する万線画線２ａの配列方向を０度とした場合、第２の領域３を形成する万線画線３ａの配列方向は４５度、第３の領域４を形成する万線画線４ａの配列方向は９０°にする必要がある。図１では、万線画線２ａから万線画線４ａの配列方向を左回りに形成しているが、万線画線２ａから万線画線４ａの配列方向を右回りに形成しても良い。また、万線画線２ａ、万線画線３ａ、万線画線４ａの配列方向を０°、４５°、９０°としているが本発明はこれに限定されることなく、万線画線２ａの角度＜万線画線３ａの角度＜万線画線４ａの角度、又は、万線画線４ａの角度＜万線画線３ａの角度＜万線画線２ａの角度の条件を満足すればよい。更に、万線画線２ａ、万線画線３ａ、万線画線４ａは盛り上がりのある微細な画線から構成される。図１では、特定画像Ｃを第１の領域２、第２の領域３、及び第３の領域４の３領域から形成しているが、本発明の領域の個数は、３個以上であれば特に限定されることなく、ｎ（ｎは３以上の整数）個の領域から特定画像Ｃを形成することができる。好ましくはｎ個の領域のｎは３以上、１００以下の整数である。また、図１での外郭形状Ｐは円で形成されているが本発明は円形状に限定されることなく、楕円、多角形又はロゴマーク等の任意の形状を選択できる。また、外郭形状Ｐは画線で形成してもよく、各領域（２、３、４）内のみを万線画線で形成し、外郭形状Ｐは画線を形成しなくともよい。図２は、図１におけるＡ−Ｂ断面図である。図２に示すように万線画線２ａ、万線画線３ａ、万線画線４ａの画線は盛り上がりＷを有していることがわかる。
【００２８】
図３は、図１の印刷物を垂直方向から観察した場合の図を示す。印刷物を垂直方向から観察した場合に、第１の領域２、第２の領域３、及び第３の領域４は微細な万線画線２ａ、万線画線３ａ、万線画線４ａで構成されているため識別しにくく、同時に、第１の領域２、第２の領域３、及び第３の領域４は光沢インキで印刷されており、拡散光のため光の影響を受けにくく確認しづらいため、第１の領域２、第２の領域３、及び第３の領域４は区分けし難い状態で視認され、ベタに近い領域と認識される。
【００２９】
本発明の印刷物を垂直方向から観察すると、ベタな印刷物のように認識されるためには、第１の領域２、第２の領域３、及び第３の領域４の万線画線の各画線のピッチ幅が、６０μｍから２０００μｍの範囲で、万線画線の各画線幅が、３０μｍから１０００μｍの範囲があることが好ましく、更に好ましくは万線画線の各画線のピッチ幅が、１２０μｍから４００μｍの範囲で、万線画線の各画線幅が、６０μｍから８００μｍの範囲があることが好ましい。画線幅が３０μｍより小さいと作成上困難となり、１０００μｍより大きいと本発明の効果が得られ難くなる。また、それぞれの万線画線の各画線幅と各非画線幅の割合は１：１が好ましい。
【００３０】
本発明の印刷物を、垂直方向から徐々に水平方向に徐々に傾けて観察した場合、第１の領域２、第２の領域３、及び第３の領域４を構成する万線画線２ａ、万線画線３ａ、万線画線４ａの配列方向が異なるため、それぞれの領域（２、３、４）を形成する万線画線（２ａ、３ａ、４ａ）における正反射光量及び拡散光量に差が生じる。図４に示すように特定の観察角度においては、第３の領域４の反射光量が第１の領域２及び第２の領域３の反射光量を上回るため第３の領域４が顕在化し、更に、深い観察角度においては図５に示すように第２の領域３の反射光量が第１の領域２及び第３の領域４の反射光量を上回るために第２の領域３が顕在化し、観察角度を更に深くすると図６に示すように第１の領域２の反射光量が第２の領域３及び第３の領域４の反射光量を上回るため第１の領域２が顕在化する。このように垂直方向から徐々に水平方向に観察すると、各領域の万線画線の配列方向が異なっているため各領域を形成する万線画線の反射光量に差が生じ、第３の領域から第１の領域に向かうに従い色彩又は明暗が徐々に変化するため、特定画像に躍動感を有して視認できる。図面では、第３の領域から第１の領域に向かうに従い色彩又は明暗が徐々に変化しているが、観察の仕方によっては第１の領域から第３の領域に向かうに従い色彩又は明暗が徐々に変化して視認される。更に、印刷物を傾けなくとも、スポット光等の入射光の角度を連続的に変化させることによって本発明の効果を奏することができる。また、本発明の印刷物は、複写機、画像入力装置等の複写防止効果を有する。これは、光沢インキで印刷されていること、及び、万線画線の配列方向と複写機等の走査線との関係によって複写防止効果が生じる。
【００３１】
本発明の原理を図７を使用して説明すると、光沢インキを使用した盛り上がりのある画線を有する印刷物に、例えばＤの方向から光を照射すると、ｄの部分からの光の反射量に対しｅ、ｆの部分の光の反射量が少ないため、明度差が生じることによりｄの部分が顕在化し、光の照射角度を変化させるとｆの部分からの光の反射量がｄの部分の光の反射量を上回りｆの部分が顕在化する。このように、鏡面のある光沢インキを使用して盛り上がりのある画線を作製し、その画線の角度を変化させることで視認できるタイミングを変化させることができるようになる。本発明の盛り上がりのある万線画線の高さが、５μｍから１５０μｍの範囲であれば、図４乃至図６の効果が向上するため、万線画線の高さを５μｍから１５０μｍの範囲に設定することが好ましい。
【００３２】
以上のことをまとめると、本発明は、基材に第１の領域、第２の領域及び第３の領域からなる特定画像を形成し、第１の領域の少なくとも一部が隣接又は近接するように第２の領域が形成され、第２の領域の少なくとも一部が隣接又は近接するように第３の領域が形成され、第１の領域、第２の領域及び第３の領域は光沢インキからなる盛り上がりのある万線画線で構成され、万線画線の配列方向は第１の領域、第２の領域及び第３の領域ごとに異なる方向に配列されたことを特徴とする偽造防止印刷物であって、偽造防止印刷物に対して垂直方向から徐々に水平方向に観察すると、第１の領域から第３の領域又は第３の領域から第１の領域に向かうに従い色彩又は明暗が徐々に変化するため、特定画像に躍動感を有して視認できる。更に、印刷物は、光沢インキで領域ごとに配列方向の異なる万線画線を形成しているため、よって、ある領域の万線画線の配列方向と複写機等の走査線との違いが生じ、複写機等で複写した場合に本発明の印刷物とは異なる複写物となるため複写防止効果が得られる。
【００３３】
また、本発明は、基材にｎ（ｎは３以上の整数）個の領域からなる特定画像を形成し、ｎ個の領域は、第１の領域、第２の領域、第３の領域、・・・第ｎ−１の領域及び第ｎの領域に区分けされ、第１の領域の少なくとも一部が隣接又は近接するように第２の領域が形成され、第２の領域の少なくとも一部が隣接又は近接するように第３の領域が形成され、第ｎ−１の領域の少なくとも一部が隣接又は近接するように第ｎの領域が形成され、ｎ個の領域は光沢インキからなる盛り上がりのある万線画線で構成され、万線画線の配列方向は第１の領域、第２の領域、第３の領域、・・・第ｎ−１の領域及び第ｎの領域ごとに異なる方向に配列することによって、印刷物に対して垂直方向から徐々に水平方向に観察すると、第１の領域から第ｎの領域又は第ｎの領域から第１の領域に向かうに従い色彩又は明暗が連続的に徐々に変化するため、特定画像に躍動感を有して視認できる。更に、印刷物は、光沢インキで領域ごとに配列方向の異なる万線画線を形成しているため、よって、ある領域の万線画線の配列方向と複写機等の走査線との違いが生じ、複写機等で複写した場合に本発明の印刷物とは異なる複写物となるため複写防止効果が得られる。
【００３４】
更に、第１の領域の周囲を囲むように第２の領域が形成され、第２の領域の周囲を囲むように第３の領域が形成され、・・・第ｎ−１の領域の周囲を囲むように第ｎの領域が形成することによって図４乃至図６の効果が向上する。この場合、各領域の位置関係は隣接又は近接する状態であればよい。
【００３５】
更に、万線画線の配列方向は、第１の領域の万線画線の配列方向の角度をα１、第２の領域の万線画線の配列方向の角度をα２、第３の領域の万線画線の配列方向の角度をα３、・・・第ｎ−１の領域の万線画線の配列方向の角度をαｎ−１、第ｎの領域の万線画線の配列方向の角度をαｎとした場合に、α１＜α２＜α３＜・・・＜αｎ−１＜αｎ又はα１＞α２＞α３＞・・・＞αｎ−１＞αｎの条件を満たすことによって図４乃至図６の効果が向上する。
【００３６】
図１に示した本発明の特定画像は、光沢インキで印刷する必要がある。ここで言う、光沢インキは表面に鏡面光沢があればよく、画線自体に盛り上がりがあれば透明、半透明のインキでも良い。本発明の図４乃至６の効果を向上させるためには光沢インキに光学的変化顔料を含有する必要があり、パール顔料、鱗片状顔料、金属粉顔料、ガラスフレーク又はコレステリック液晶顔料等をインキに配合する必要がある。本発明はパール顔料を配合したインキが最も本発明の効果を奏することができる。
【００３７】
更に、上記記載の光学的変化顔料は平面配向性を有することが好ましい。図８に平面配向性を有することのない顔料を含有したインキで印刷したインキ皮膜の拡大図を示し、図９に平面配向性を有する光学的変化顔料を含有したインキで印刷したインキ皮膜の拡大図を示す。平面配向性を有することのない顔料を含有したインキで印刷した場合は、画線のインキ皮膜中の顔料の配向状態は、図８に示すようにインキ皮膜中の全体にランダムに配向していることがわかる。平面配向性を有する光学的変化顔料を含有したインキで印刷した場合は、画線のインキ皮膜中の顔料の配向状態は、図９に示すようにインキ皮膜中の表面にきれいに配向していることがわかる。ここでの平面配向性（リーフィング効果）とは撥水、撥油性処理を行った顔料のことであり、顔料に撥水、撥油性を持たせているため、顔料がインキ皮膜の下部に沈降しにくいためインキ皮膜中の表面にきれいに配向する。しかしながら、撥水、撥油性処理を行っていない顔料、つまり、平面配向性を有することのない顔料は、顔料が配向する前にインキが乾燥するため顔料がインキ皮膜中の表面にきれいに配向しないため、撥水、撥油性を持たせた顔料に比べ本発明の効果が劣ることになる。
【００３８】
次に、光学的変化顔料を含有したインキの効果について説明する。光学的変化顔料はパール顔料、鱗片状顔料、金属粉顔料、ガラスフレーク顔料又はコレステリック液晶顔料等が挙げられる。しかしながら、光学的変化顔料の屈折率、形状、厚さ、大きさ、インキ皮膜中の粒子分布等によって干渉光が異なることとなる。図１０に光学的変化顔料を含有したインキで印刷した印刷物を斜めから観察した場合の図を示す。図１０に示すように入射光Ｘからの光がインキ皮膜上で反射され、反射された反射光Ｙの光は、光学的変化顔料の影響を受け、光学的変化顔料の垂直方向から観察した場合と異なった光の色が生じて干渉光となり視認される。
【００３９】
ここで使用されるパール顔料は虹彩色パール顔料でも２色性パール顔料でもその他の鱗片状顔料でも構わない。また、パール顔料の粒子径の大きさは１μｍ〜１５０μｍのものを用い、好ましくは５μｍ〜５０μｍで、平均粒径が１０μｍ〜２５μｍ程度が好ましい。
【００４０】
本発明の偽造防止印刷物に対して垂直方向から徐々に水平方向に観察すると、色彩又は明暗が連続的に徐々に変化するため、特定画像に躍動感を有して視認できる。
【００４１】
本発明の偽造防止印刷物に対して垂直方向から徐々に水平方向に観察すると、色彩又は明暗が連続的に徐々に変化するためには、盛り上がりのある画線にする必要があり、画線の高さが、５μｍから１５０μｍの範囲であることが好ましい。インキの盛りが５μｍ未満であると、本発明の効果が確認しにくい状況となり、１５０μｍを超えると作製上困難となる。
【００４２】
本発明の万線画線の形状は、直万線パターン、曲万線パターン等で形成することができ、特に限定されるものではない。更に、万線画線の各画線は、実線を用いることが好ましいが、点線、破線等を用いても良い。更に、実線、破線、点線等を微小文字によって形成しても良い。また、万線画線の各画線の画線幅を段階的又は連続的に変化させることで、本発明の偽造防止印刷物に対して垂直方向から徐々に水平方向に観察すると、色彩又は明暗が明瞭に徐々に変化し、特定画像が階調表現を有して視認できる。
【００４３】
本発明の各領域の外郭形状Ｐは図１１に示すように円形、多角形又はロゴマーク等のどのような形でも構わない。図１２に示すように本発明の複数の領域は、特定画像の外郭と特定画像内の任意の点とを垂直方向に複数個を分割し、複数個に分割したそれぞれの点が複数の領域のそれぞれの境界域の基準となり、それぞれの境界域の形状は、特定画像の外郭形状と、同一又は近似した形状によって、複数の領域を形成することで形成される。図１２は、任意の点を特定画像内の外郭２０の中心２１ａに設けた場合の図であり、垂直方向に２個分割２２し、領域を３個設けた場合の図である。更に、図１３は、任意の点を特定画像内の外郭２０の中心からずらした点２１ｂに設けた場合の図であり、垂直方向に２個分割２２し、領域を３個設けた場合の図である。図１２及び図１３は第１の領域の周囲を囲むように第２の領域が形成され、第２の領域の周囲を囲むように前記第３の領域が形成されている。本発明はこれに限定されることなく図１４（ａ）のように第１の領域２の少なくとも一部が隣接するように第２の領域３が形成され、第２の領域３の少なくとも一部が隣接するように第３の領域４が形成され、第３の領域４の少なくとも一部が隣接するように第４の領域５を形成しても良い。また、図１４（ｂ）のように第１の領域２の少なくとも一部が近接するように第２の領域３が形成され、第２の領域３の少なくとも一部が近接するように第３の領域４が形成され、第３の領域４の少なくとも一部が近接するように第４の領域５を形成しても良い。ここで言う、隣接とは領域の少なくとも一部が接していること，又は領域の少なくとも一部が重なり合って接していることであり、近接とは、各領域が接してはいないが近くにあることを言う。本発明の近接の距離、つまり、各領域間の距離Ｑは５ｍｍ以下が好ましい。
【００４４】
本発明は、上記図１１乃至図１３の形状に限定されることなく図１７に示すような形状にしてもよい。その他の例を図１７に示す。図１７（ａ）は文字によって形成されたもので各文字領域の万線画線の配列角度が異なっている。第１の領域から第ｎの領域に向かって、外郭形状が徐々に変化している例として、図１７（ｂ）では四角から徐々に三角に変化した状態を示している。また、各図形領域の万線画線の配列角度が異なっている。図１７（ｃ）は花びらによって形成されたもので各花びら領域の万線画線の配列角度が異なっている。図１７（ｄ）はロゴマークによって形成されたものでロゴマークの一部の領域の万線画線の配列角度が異なっている。
【００４５】
本発明の画線の配列方向の角度は、隣り合う領域の画線の成す角度が１度以上１７９度以下であればよいが、好ましくは５度以上４５度以下の範囲であることが望ましい。
【００４６】
本発明の特定画像は、酸化重合型インキ、ＵＶ硬化型インキ、電子線硬化型インキ、紫外線硬化及び酸化重合機能を併せ持つインキ（特許２１１３８８０号参照）、又は２液混合型インキが好ましい。印刷方式は特に限定されることはないが、凹版印刷方式又はスクリーン印刷方式が好ましい。
【００４７】
ここで使用されるパール顔料は虹彩色パール顔料でも２色性パール顔料でもその他の鱗片状顔料でも構わない。ただし、盛り上がっている画線の表面で顔料が配向するように顔料の表面処理（例として特開２００１−１０６９３７号公報参照に示されるような撥水、撥油性処理）を行った物を使用することで鱗片状顔料の配向性（リーフィング効果）を向上させることができ、図９に示すように印刷物表面で顔料が配向して本発明の効果を向上することができる。この場合、盛り上がりのある画線は速硬化性を有する必要があるため、ＵＶ硬化型インキ、電子線硬化型インキ、紫外線硬化及び酸化重合機能を併せ持つインキ（特許２１１３８８０号参照）、又は２液混合型インキに上記記載のような表面処理（撥水、撥油性処理）を行った顔料を配合させたインキにより印刷し、印刷後に紫外線照射装置等の活性エネルギー線を照射する必要がある。よって盛り上がりのある画線を用いても顔料が沈降せず、図９に示すように印刷物表面で顔料が配向して本発明の効果を向上することができる。撥水、撥油性処理を施していない場合は鱗片状顔料が配向する前にインキが硬化するために、パール効果が発生しないか、あるいはパール効果が発生したとしても撥水、撥油性処理を施した顔料と比較して効果が劣るものとなる。
【００４８】
また、本発明は、特定画像が、光吸収層を設けた領域上に重ねて印刷することによって、図４乃至図６の効果が向上する。ここで言う、光吸収層とは光反射率の低い、つまり、濃度の高い印刷の色彩又は基材の色彩によって形成され、最も黒色系が効果がある。また、光吸収層を設けた領域が赤外線吸収材料又は磁性材料を含有したインキで印刷することによって偽造防止効果が向上する。特定画像の下塗りする印刷方式は、特に限定されるものではないが、オフセット印刷技法が好ましい。特定画像の印刷方式は、特に限定されるものではないが、凹版印刷技法、スクリーン印刷技法を用いることが好ましい。特定画像の印刷に用いるインキ粘度は、５ポイズ〜２００ポイズ程度で、印刷後、乾燥までの間に、表面に平面配向性を有する光学的変化顔料、表面に配向された光学的変化顔料の下部に平面配向性を有することのない顔料に分離できる程度の粘度が好ましい。また、印刷機の調整においては特別な調整は不要であり、一般的な設定で印刷することが可能である。
【００４９】
本発明の基材は紙葉類、プラスチックフィルム、金属、布等を用いることができる。
【実施例】
以下、実施例を用いて本発明を更に詳細に説明するが、本発明の内容は、これらの実施例の範囲に限定されるものではない。
【００５０】
（実施例１）
図１５に示すように第１の領域２、第２の領域３、及び第３の領域４から構成される特定画像Ｃを作成し、各領域は、ピッチ幅２００μｍ、画線幅１００μｍの万線画線から構成し、第１の領域２の万線画線の配列方向の角度を０度としたときに、第２の領域２の万線画線を４５度、第３の領域２の万線画線を９０度とし、特定画像Ｃを得た。各領域は特定画像の外郭の中心から順に形成した。各領域の外郭形状は正方形の形状で形成した。
【００５１】
得られた特定画像Ｃをもとに、スクリーン版面を作製し、下記の配合割合でインキを作製した。
2005041084.tif 000003
得られたスクリーン版面、スクリーンインキを用い、スクリーンインキを用い、スクリーン印刷機で印刷を行い実施例１の印刷物を得た。
【００５２】
実施例１の印刷物を垂直方向から観察すると、特定画像は全体的に一様なベタに近い印刷領域として認識され、第１の領域２、第２の領域３、及び第３の領域４は肉眼で区分けしにくい状態にある。実施例１の印刷物を浅い角度で斜めから観察した場合、第３の領域４の反射光量が第１の領域２及び第２の領域３の反射光量を上回り第３の領域４が顕在化し、更に、深い観察角度においては第２の領域３の反射光量が第１の領域２及び第３の領域４の反射光量を上回り第２の領域３が顕在化し、観察角度を更に深くすると第１の領域２の反射光量が第２の領域３及び第３の領域４の反射光量を上回り第１の領域２が顕在化できた。つまり、第３の領域から第１の領域に向かうに従い色彩又は明暗が徐々に変化するため、特定画像が動画のような躍動感を有して視認できた。
【００５３】
（実施例２）
図１６に示すように第１の領域２、第２の領域３、及び第３の領域４から構成される特定画像Ｃを作成し、各領域は、ピッチ幅２００μｍ、画線幅１００μｍの万線画線から構成し、第１の領域２の万線画線の配列方向の角度を０度としたときに、第２の領域３の万線画線を４５度、第３の領域４の万線画線を９０度とし、特定画像Ｃを得た。各領域は特定画像の外郭の中心からずらして形成した。各領域の外郭形状は円の形状で形成した。
【００５４】
得られた基本画像Ｃをもとに、スクリーン版面を作製し、下記の配合割合でインキを作製した。
2005041084.tif 000004
得られたスクリーン版面、スクリーンインキを用い、スクリーンインキを用い、スクリーン印刷機で印刷を行い実施例２の印刷物を得た。
【００５５】
実施例２の印刷物は、実施例１の印刷物よりも効果が劣るが近い効果の印刷物が作製できた。
【００５６】
以上、本実施例に基づいて説明したが、本発明はこれに限定されるものでなく、特許請求の範囲記載における技術的思想の範囲内であれば、その他のいろいろな実施形態が考えられる。
【００５７】
【発明の効果】
本発明は、基材にｎ（ｎは３以上の整数）個の領域からなる特定画像を形成し、ｎ個の領域は、第１の領域、第２の領域、第３の領域、・・・第ｎ−１の領域及びｎの領域に区分けされ、第１の領域の少なくとも一部が隣接又は近接するように第２の領域が形成され、第２の領域の少なくとも一部が隣接又は近接するように第３の領域が形成され、第ｎ−１の領域の少なくとも一部が隣接又は近接するように第ｎの領域が形成され、ｎ個の領域は光沢インキからなる盛り上がりのある万線画線で構成され、万線画線の配列方向は第１の領域、第２の領域、第３の領域、・・・第ｎ−１の領域及び第ｎの領域ごとに異なる方向に配列することによって、印刷物に対して垂直方向から徐々に水平方向に観察すると、第１の領域から第ｎの領域又は第ｎの領域から第１の領域に向かうに従い色彩又は明暗が徐々に変化するため、特定画像に躍動感を有して視認できる。つまり、特定画像が動的効果を有するため視覚的効果が非常に高い。更に、本発明の印刷物は、光沢インキで領域ごとに配列方向の異なる万線画線を形成しているため、ある領域の万線画線の配列方向と複写機等の走査線との違いが生じ、複写機等で複写した場合に本発明の印刷物とは異なる複写物となるため複写防止効果が得られる。よって、本発明は真偽判別、複写防止に優れているため、銀行券、株券、パスポート、有価証券、通行券、カード、商品タグ等の偽造、変造を防止する必要性のある印刷物に適用できる。また、ホログラムのように高価でなく、少量生産にも向いている。
【００５８】
また、本発明の印刷物は下地に印刷絵柄上に設けても効果を奏することができ、また、下地を光を吸収する色彩にすることによって、本発明の印刷物の色彩又は明度の変化量が向上する。特定画像自体にインキの盛りを有するため指感性を有した印刷物となる。また、一度刷りで印刷できるためコストが低く、製品への汎用性が高い。
【００５９】
【図面の簡単な説明】
【図１】基材１上に第１の領域２、第２の領域３、及び第３の領域４からなる特定画像Ｃを示す図である。
【図２】図１におけるＡ−Ｂ断面図である。
【図３】図１の印刷物を垂直方向から観察した場合の図である。
【図４】図１の印刷物を傾けて観察した場合の図である。
【図５】図１の印刷物を傾けて観察した場合の図である。
【図６】図１の印刷物を傾けて観察した場合の図である。
【図７】盛り上がりのある光沢インキを使用した印刷物の説明図を示す。
【図８】平面配向性を有することのない顔料を含有したインキで印刷したインキ皮膜の拡大図である。
【図９】平面配向性を有する光学的変化顔料を含有したインキで印刷したインキ皮膜の拡大図である。
【図１０】光学的変化顔料を含有したインキで印刷した印刷物を斜めから観察した場合の図である。
【図１１】本発明の各領域の外郭形状Ｐを示す図である。
【図１２】任意の点を特定画像内の外郭の中心２１ａに設けた場合の図であり、垂直方向に２個分割し、層状領域を３個設けた場合の図である。
【図１３】任意の点を特定画像内の外郭の中心からずらした点２１ｂに設けた場合の図であり、垂直方向に２個分割し、層状領域を３個設けた場合の図である。
【図１４】隣接と近接の説明図である。
【図１５】実施例１の図である。
【図１６】実施例２の図である。
【図１７】本発明の各領域の外郭形状のその他の例を示す図である。
【符号の説明】
１          基材
２          第１の領域
３          第２の領域
４          第３の領域
５          第４の領域
２ａ、３ａ、４ａ          万線画線
２０          特定画像の外郭
２１ａ          特定画像内の外郭の中心
２１ｂ          特定画像内の外郭の中心からずらした点
Ｃ          特定画像
Ｐ          外郭形状
Ｑ          距離
Ｗ          画線の盛り上がり
【図１】
2005041084.tif 000005
【図２】
2005041084.tif 000006
【図３】
2005041084.tif 000007
【図４】
2005041084.tif 000008
【図５】
2005041084.tif 000009
【図６】
2005041084.tif 000010
【図７】
2005041084.tif 000011
【図８】
2005041084.tif 000012
【図９】
2005041084.tif 000013
【図１０】
2005041084.tif 000014
【図１１】
2005041084.tif 000015
【図１２】
2005041084.tif 000016
【図１３】
2005041084.tif 000017
【図１４】
2005041084.tif 000018
【図１５】
2005041084.tif 000019
【図１６】
2005041084.tif 000020
【図１７】
2005041084.tif 000021